(57)【要約】【課題】ユーザが、楽曲を分析した特徴量を用いて選択する際に、その特徴量を違和感持つことなく認識可能として、ユーザの希望する楽曲を適切に選択することを可能とする楽曲再生制御装置を提供することを目的としている。【解決手段】全体制御装置１１が、内部楽曲保存装置２に楽曲を保存するのに伴い楽曲分析装置７により楽曲の分析を実行し、その分析で得られた特徴量を、内部楽曲保存装置２に保存した楽曲と関連付けて楽曲検索用情報保存装置３に保存する分析保存処理と、表示画面上に、位置により色の度合いを変化させる色軸を３軸有したＲＧＢパレット２０を表示し、楽曲検索用情報保存装置３に保存された特徴量を、ＲＧＢパレット２０上の座標と関連付け、ＲＧＢパレット２０上の点に応じて楽曲を検索する検索処理と、を実行することを特徴とする楽曲再生制御装置とした。【選択図】図１
2008250710.tif 000002
【特許請求の範囲】
【請求項１】
再生装置により再生可能な複数の楽曲データが保存された楽曲保存装置と、
楽曲の再生時に、その楽曲を評価する特徴量を算出する楽曲分析装置と、
この楽曲分析装置により得られた楽曲の特徴量と、楽曲とを関連付けて保存する楽曲検索用情報保存装置と、
表示画面上に複数の色を表示可能なディスプレイ装置と、
前記楽曲検索用情報保存装置、楽曲分析装置、再生装置、楽曲保存装置の作動を制御する制御装置と、
を備えた楽曲再生制御装置であって、
前記制御装置が、前記楽曲保存装置に楽曲を保存するのに伴い前記楽曲分析装置により楽曲の分析を実行し、その分析で得られた特徴量を、前記楽曲保存装置に保存した楽曲と関連付けて前記楽曲検索用情報保存装置に保存する分析保存処理と、前記表示画面上に、位置により色の度合いを変化させる色軸を２軸以上有した着色パレットを表示し、前記楽曲検索用情報保存装置に保存された前記特徴量を、前記着色パレット上の座標と関連付け、前記着色パレット上の点に応じて楽曲を検索する検索処理と、を実行することを特徴とする楽曲再生制御装置。
【請求項２】
前記着色パレットは、赤色の軸と、青色の軸と、緑色の軸との３軸を有し、各三角の頂点で、赤、青、緑の単色が表示される一方で、他の頂点に向かうに連れて、その頂点の色と混合された色合いで表示された三角形を成すＲＧＢパレットであり、
このＲＧＢパレット上の各軸に対応する座標が、前記特徴量の関数として設定されていることを特徴とする請求項１に記載の楽曲再生制御装置。
【請求項３】
前記制御手段は、前記着色パレット上で所定の位置の選択が行われると、この選択位置の座標に応じた特徴量の楽曲を１曲以上選択して、再生リストを作成する再生リスト作成処理と、この再生リストに従って楽曲の再生を行う再生処理を実行することを特徴とする請求項１または請求項２に記載の楽曲再生制御装置。
【請求項４】
前記特徴量として、楽曲の全体において音圧の変動が大きい場合に大きくなり、音圧の変動が小さい場合に小さくなるように設定された音圧変動値と、楽曲の全体における音圧の平均値が大きい場合に大きくなり、音圧の平均値が小さい場合に小さくなるように設定された音圧平均値と、が用いられていることを特徴とする請求項１〜請求項３のいずれか１項に記載の楽曲再生制御装置。
【請求項５】
前記表示画面上に、１以上の固定ボタンが設けられ、
各固定ボタンが、前記着色パレット上の点に対応して着色され、
前記制御装置は、各固定ボタンが押された際に、対応された前記着色パレット上の座標に応じた特徴量を有した楽曲を１曲以上再生することを特徴とする請求項１〜請求項４のいずれか１項に記載の楽曲再生制御装置。
【請求項６】
前記制御手段は、前記固定ボタンと、これに対応する特徴量および色とを、ユーザの選択に応じて変更する属性変更処理を実行することを特徴とする請求項１〜請求項５のいずれか１項に記載の楽曲再生制御装置。
【請求項７】
前記制御手段は、前記固定ボタンに設定された特徴量と、固定ボタンに設定された色と、に基づいて、前記着色パレット上の座標に対応する、前記特徴量の関数を変更し、前記座標と特徴量との関係を変更する色印象変更処理を実行することを特徴とする請求項１〜請求項６のいずれか１項に記載の楽曲再生制御装置。
【発明の詳細な説明】
【技術分野】
【０００１】
本発明は、楽曲の検索技術に関する。
【背景技術】
【０００２】
近年の楽曲再生制御装置は、ハードディスクドライブやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるようになっている。
【０００３】
そこで、このような大量の楽曲を再生する際の、楽曲の選択が問題となる。
従来、多数の楽曲の選択手法として、ツリー状に表現して選択する手法がよく知られている。これは、記憶媒体の種類、フォルダ、ファイルというように、徐々に絞り込んで選択する手法である。
しかしながら、大容量の記憶媒体に楽曲を保存した場合、これをツリーで表示しようとすると、同一の階層に多数のメニュー項目が存在することになる。例えば、１つの記憶媒体に５００フォルダ３０００曲を保存した場合、フォルダを示すメニュー項目として５００項目が存在することになり、なかなか目的の楽曲（ファイル）に到達することができない。
【０００４】
そこで、楽曲の印象を数値化したデータベースを作成し、ユーザの楽曲に対する主観的なイメージ、例えば、「激しさ」「のりの良さ」「爽やかさ」「ソフトさ」などを、ＸＹ平面上に定義し、ユーザは、印象を表す言葉により、楽曲を検索する技術が提案されている（特許文献１参照）。
【特許文献１】特開２００２−２７８５４７号公報
【発明の開示】
【発明が解決しようとする課題】
【０００５】
しかしながら、上述の従来技術では、楽曲の印象を言葉で検索するようにしているため、その入力操作が煩雑になり、特に、車載器などでは、走行中の操作が難しい。
しかも、「激しさ」「のりの良さ」「爽やかさ」「ソフトさ」などの印象用語を用いる場合、ユーザの主観と、装置におけるこれらの言葉の定義と、にずれが生じるおそれがあり、この場合、ユーザの希望と検索結果とに違和感を与えるおそれがある。
【０００６】
本発明は、上述の従来の問題点に着目して成されたもので、ユーザが、楽曲を分析した特徴量を用いて選択する際に、その特徴量を違和感持つことなく認識可能として、ユーザの希望する楽曲を適切に選択することを可能とする楽曲再生制御装置を提供することを目的としている。
【課題を解決するための手段】
【０００７】
上述の目的を達成するため請求項１に記載の発明は、再生装置により再生可能な複数の楽曲データが保存された楽曲保存装置と、楽曲の再生時に、その楽曲を評価する特徴量を算出する楽曲分析装置と、この楽曲分析装置により得られた楽曲の特徴量と、楽曲とを関連付けて保存する楽曲検索用情報保存装置と、表示画面上に複数の色を表示可能なディスプレイ装置と、前記楽曲検索用情報保存装置、楽曲分析装置、再生装置、楽曲保存装置の作動を制御する制御装置と、を備えた楽曲再生制御装置であって、前記制御装置が、前記楽曲保存装置に楽曲を保存するのに伴い前記楽曲分析装置により楽曲の分析を実行し、その分析で得られた特徴量を、前記楽曲保存装置に保存した楽曲と関連付けて前記楽曲検索用情報保存装置に保存する分析保存処理と、前記表示画面上に、位置により色の度合いを変化させる色軸を２軸以上有した着色パレットを表示し、前記楽曲検索用情報保存装置に保存された前記特徴量を、前記着色パレット上の座標と関連付け、前記着色パレット上の点に応じて楽曲を検索する検索処理と、を実行することを特徴とする楽曲再生制御装置である。
【０００８】
請求項２に記載の発明は、請求項１に記載の楽曲再生制御装置において、前記着色パレットは、赤色の軸と、青色の軸と、緑色の軸との３軸を有し、各三角の頂点で、赤、青、緑の単色が表示される一方で、他の頂点に向かうに連れて、その頂点の色と混合された色合いで表示された三角形を成すＲＧＢパレットであり、このＲＧＢパレット上の各軸に対応する座標が、前記特徴量の関数として設定されていることを特徴とする楽曲再生制御装置である。
【０００９】
請求項３に記載の発明は、請求項１または請求項２に記載の楽曲再生制御装置において、前記制御手段は、前記着色パレット上で所定の位置の選択が行われると、この選択位置の座標に応じた特徴量の楽曲を１曲以上選択して、再生リストを作成する再生リスト作成処理と、この再生リストに従って楽曲の再生を行う再生処理を実行することを特徴とする楽曲再生制御装置である。
【００１０】
請求項４に記載の発明は、請求項１〜請求項３のいずれか１項に記載の楽曲再生制御装置において、前記特徴量として、楽曲の全体において音圧の変動が大きい場合に大きくなり、音圧の変動が小さい場合に小さくなるように設定された音圧変動値と、楽曲の全体における音圧の平均値が大きい場合に大きくなり、音圧の平均値が小さい場合に小さくなるように設定された音圧平均値と、が用いられていることを特徴とする請求項１〜請求項３のいずれか１項に記載の楽曲再生制御装置である。
【００１１】
請求項５に記載の発明は、請求項１〜請求項４のいずれか１項に記載の楽曲再生制御装置において、前記表示画面上に、１以上の固定ボタンが設けられ、各固定ボタンが、前記着色パレット上の点に対応して着色され、前記制御装置は、各固定ボタンが押された際に、対応された前記着色パレット上の座標に応じた特徴量を有した楽曲を１曲以上再生することを特徴とする楽曲再生制御装置である。
【００１２】
請求項６に記載の発明は、請求項１〜請求項５のいずれか１項に記載の楽曲再生制御装置において、前記制御手段は、前記固定ボタンと、これに対応する特徴量および色とを、ユーザの選択に応じて変更する属性変更処理を実行することを特徴とする楽曲再生制御装置である。
【００１３】
請求項７に記載の発明は、請求項１〜請求項６のいずれか１項に記載の楽曲再生制御装置において、前記制御手段は、前記固定ボタンに設定された特徴量と、固定ボタンに設定された色と、に基づいて、前記着色パレット上の座標に対応する、前記特徴量の関数を変更し、前記座標と特徴量との関係を変更する色印象変更処理を実行することを特徴とする楽曲再生制御装置である。
【発明の効果】
【００１４】
請求項１に記載の発明では、ユーザは、楽曲の検索時に、着色パレット上の点、すなわち色を選択することで、制御手段は、その着色パレット上の座標に応じた特徴量を有した楽曲を検索する。
このように、ユーザは、楽曲の特徴量を着色パレット上の色で認識することができ、「激しさ」「のりの良さ」「爽やかさ」「ソフトさ」などの印象用語を用いるのと比較して、主観とのずれが生じにくいとともに、使用を繰り返すことで、ユーザは、その色と特徴量との関係を学習して、色と特徴量との関係をより的確に掴み取ることが可能である。
しかも、着色パレットは、色軸を２軸以上有しているため、複数の色ならびにこれらの混合色を用いることで、複数種類の特徴量と色とを関連付けすることができる。
【００１５】
請求項２に記載の発明では、着色パレットとして、赤、青、緑の三色の頂点を有した三角形のＲＧＢパレットを用い、このＲＧＢパレット上の座標を、楽曲の特徴量に関連付けた特徴量の関数とした。
したがって、ユーザは、三色の頂点との相対位置により、ＲＧＢパレット上の任意の点（座標）を、より色で認識することが容易となり、かつ、この色と特徴量とが関数で関連付けされることで、定量的な関係となり、これによっても、ユーザは、色と楽曲の特徴量との認識が容易となる。
【００１６】
請求項３に記載の発明では、着色パレット上の位置の選択を行うだけで、その座標に応じた特徴量の楽曲が、１曲以上選択されて再生リストが作成され、この再生リストに従って自動的に再生される。
したがって、使い勝手に優れる。
【００１７】
請求項４に記載の発明では、特徴量として楽曲全体の音圧変動値および音圧平均値を用いるようにしたため、楽曲全体の特徴量が得られ、楽曲の一部のフレーズのみの特徴量を求めた場合と比較して、特徴量と楽曲の全体の印象とが異なることを抑制して、楽曲の特徴が的確に得られる。
【００１８】
請求項５に記載の発明では、着色パレットと別個に、着色パレット上の任意の点に対応する固定ボタンを設定したため、例えば、ユーザが、着色パレット上の気に入っている特定のポイントを選択したい場合に、位置のずれが生じることなく、同一の位置を選択することを確実に再現可能とし、操作性に優れる。
【００１９】
請求項６に記載の発明では、属性変更処理を実行することで、固定ボタンに対応する特徴量と色とを任意に変更可能とした。
したがって、ユーザは、例えば、着色パレット上の気に入っている特定のポイントを任意に設定することができ、いっそう使い勝手に優れる。
【００２０】
さらに、請求項７に記載の発明では、色印象変更処理を実行することで、着色パレット上の座標に対応する、特徴量の関数を変更可能とした。
したがって、着色パレット上の座標と特徴量との関係を、よりユーザの印象に一致する関係に変更することが可能となり、いっそう的確な楽曲の選択が可能となる。
【発明を実施するための最良の形態】
【００２１】
以下、本発明の楽曲再生制御装置の実施の形態を説明する。
実施の形態の楽曲再生制御装置は、再生装置（４）により再生可能な複数の楽曲データが保存された楽曲保存装置（２）と、楽曲の再生時に、その楽曲を評価する特徴量を算出する楽曲分析装置（７）と、この楽曲分析装置（７）により得られた楽曲の特徴量と、楽曲とを関連付けて保存する楽曲検索用情報保存装置（３）と、表示画面上に複数の色を表示可能なディスプレイ装置（９）と、前記楽曲検索用情報保存装置（３）、楽曲分析装置（７）、再生装置（４）、楽曲保存装置（２）の作動を制御する制御装置（１１）と、を備えた楽曲再生制御装置であって、前記制御装置（１１）が、前記楽曲保存装置（２）に楽曲を保存するのに伴い前記楽曲分析装置（７）により楽曲の分析を実行し、その分析で得られた特徴量を、前記楽曲保存装置（３）に保存した楽曲と関連付けて前記楽曲検索用情報保存装置（３）に保存する分析保存処理と、前記表示画面上に、位置により色の度合いを変化させる色軸を２軸以上有した着色パレット（２０）を表示し、前記楽曲検索用情報保存装置に保存された前記特徴量を、前記着色パレット（２０）上の座標と関連付け、前記着色パレット（２０）上の点に応じて楽曲を検索する検索処理と、を実行することを特徴とする楽曲再生制御装置である。
【実施例１】
【００２２】
図１〜図８に基づいて本発明の最良の実施の形態として実施例１の楽曲再生制御装置Ａについて説明する。
【００２３】
まず、実施例１の楽曲再生制御装置Ａの構成を説明する。
この実施例１の楽曲再生制御装置Ａは、車載されたもので、図１に示すように、メディア駆動装置１、内部楽曲保存装置２、楽曲検索用情報保存装置３、再生装置４、スピーカ装置５、リスト情報保存装置６、楽曲分析装置７、ユーザインタフェース装置８、ディスプレイ装置９、ユーザ印象分析装置１０、全体制御装置１１を備えている。
【００２４】
そして、この実施例１の楽曲再生制御装置Ａは、ディスプレイ装置９を用いて、三角の頂点を赤、緑、青とした画面（図５参照）を用いて楽曲の検索を行うことを特徴としており、以下、順を追って説明する。
【００２５】
メディア駆動装置１は、車両外から持ち込んだ記憶媒体（ＣＤ（Compact Discの略である）、ＭＤ（Mini Discの略）、ＤＶＤ（Digital Versatile Disc））などを駆動すると同時に、それらの記憶媒体に保存された楽曲データを再生することができる情報に変換する機能を有している。なお、保存時には、楽曲の音響情報をアナログディジタル変化したＰＣＭデータで保存する場合もあるが、本実施例１では、保存量を増やすために圧縮して保存しているものとする。また、それぞれの楽曲に付加的に加えられている各種情報（例えば、タイトル名やアーティスト名、ジャンルなどを持ったＴＡＧなど）が存在する場合には、これらの情報は、メタデータとして、楽曲検索用情報保存装置３に保存する。
【００２６】
内部楽曲保存装置２は、書き換え可能な磁気記憶媒体であるハードディスクドライブ（Hard disk drive）やフラッシュメモリなどで構成されており、メディア駆動装置１において再生される外部記憶媒体に保存された楽曲データを、圧縮して保存することが可能となっている。
また、この内部楽曲保存装置２に保存された楽曲データは、全体制御装置１１による制御に基づいて、再生装置４により再生可能となっている。
【００２７】
再生装置４は、全体制御装置１１の指示に従い、内部楽曲保存装置２に保存されている楽曲データ、およびメディア駆動装置１で駆動される外部記憶装置（図示省略）に記憶されている楽曲データを取得し、その楽曲データを再生する。なお、楽曲データが圧縮されている場合には、それぞれの圧縮方法に準拠した方法にて圧縮を解除（デコード）しＰＣＭデータとして出力する機能を持っている。
【００２８】
楽曲分析装置７は、楽曲のＰＣＭデータを分析して、楽曲を代表する特徴量数値情報を決定する装置である。
楽曲の分析は、例えば、内部楽曲保存装置２に楽曲が保存されるときに、楽曲ごとにおこなわれるもので、その詳細については後述する。
なお、全体制御装置１１では、楽曲再生時に、同時に、その楽曲に付加された情報を出力する。また、検索のために、特定の検索条件情報が与えられた場合には、その検索情報に相当する、楽曲、もしくは、楽曲のリスト一覧に相当する情報（楽曲情報とその保存先の一覧）を出力する。ここで検索条件に一致した楽曲一覧情報が得られた場合には、リスト情報保存装置６に一覧リスト情報として保存される。また、楽曲分析装置７の出力データに関しては、特定の分析値に対して検索条件が与えられた場合には、その特定の分析データに対応する、データに対して近い分析データを持った楽曲の一覧に相当する情報を全体制御装置１１に出力する機能を持っている。
【００２９】
リスト情報保存装置６は、ユーザが作成した再生リスト、もしくはユーザの指示に従って楽曲検索用情報保存装置３のデータに基づいて自動作成した再生リスト（これについては後述する）の情報を保存する機能を持っている。
【００３０】
ユーザインタフェース装置８は、ユーザとのインタフェースを果たす役割を持っており、本実施例１では、ディスプレイ装置９が有するタッチパネル機能を用いて、ユーザへの視覚情報の提示と、選択の手段を与えるものである。例えば、楽曲の再生リストを提示する場合には、そのリストに対応したボタンを表示し、そのボタンが選択されたときに、全体制御装置に対して該当するリストが選択されたことを通知する。
【００３１】
次に、楽曲分析装置７について説明する。
この楽曲分析装置７は、楽曲のＰＣＭデータを分析し、その楽曲を代表する特徴量を数値的に決定する装置である。本実施例１では、音圧変動値Ｓｘと音圧平均値Ｓｙとを用いる。
【００３２】
音圧変動値Ｓｘは、楽曲の全体に亘って音圧の変動が大きい場合に大きくなり、音圧の変動が小さい場合に小さくなるパラメータである。
音圧平均値Ｓｙは、楽曲の全体に亘って音圧の平均値が大きい場合に大きくなり、音圧の平均値が小さい場合に小さくなるパラメータである。
【００３３】
ここで、図２のフローチャートに基づいて、分析処理の流れ説明する。
本実施例１では、この分析処理は、あらかじめ、内部楽曲保存装置２への録音が指示された状態で、メディア駆動装置１に、ＣＤなどの録音対象の楽曲データを有したメディアが挿入されると開始される。
【００３４】
このようにメディアが挿入されると、全体制御装置１１は、このメディアからＰＣＭデータのリッピングを開始するとともに、再生装置４に、楽曲データ（ＰＣＭデータ）を送り再生する（ステップＳ１）。
【００３５】
次に、全体制御装置１１は、内部楽曲保存装置２への楽曲の保存（録音）ならびに楽曲分析装置７における音圧変動値Ｓｘと音圧平均値Ｓｙとの算出（分析）の開始を指示する（ステップＳ２）。
そして、全体制御装置１１では、上記の再生と同時に、楽曲データの圧縮処理を行い、内部楽曲保存装置２に逐次保存し（ステップＳ４）、かつ、これと並列に、楽曲分析装置７に対してＰＣＭデータを送付して分析処理を実行させる（ステップＳ５）。
なお、この圧縮保存および分析は、この楽曲データの曲全体に亘るＰＣＭデータについて処理を行うまで実行される（ステップＳ３）。
また、圧縮処理および分析処理は、再生速度のＮ倍速で行うようにしてもよい。
【００３６】
メディア駆動装置１から１曲目の再生が終了したことの連絡を受けると、ステップＳ３においてＮＯ判定が成され、全体制御装置１１は、圧縮処理を終了し、内部楽曲保存装置２に楽曲データをファイルとして保存する。同時に楽曲分析装置７に対して、楽曲データの終了を通知することにより、音圧変動値Ｓｘと音圧平均値Ｓｙの算出を終了し、これら音圧変動値Ｓｘと音圧平均値Ｓｙを確定する（ステップＳ６）。
【００３７】
そして、全体制御装置１１は、楽曲検索用情報保存装置３に対して楽曲データの属性情報とともに楽曲分析装置７から取得した音圧変動値Ｓｘと音圧平均値Ｓｙを関連付けて保存する（ステップＳ７）。なお、楽曲検索用情報保存装置３に保存される情報は、前述の楽曲パラメータ（音圧変動値Ｓｘと音圧平均値Ｓｙ）や属性情報とともに、一般的な情報である、録音時期、再生回数、ユーザ評価値などと同列に保存することが可能である。
【００３８】
次に、メディア駆動装置１において引き続き再生可能な楽曲の存在の有無を確認し、楽曲が存在する場合には、次の楽曲についてステップＳ１からの処理を継続し、楽曲が存在しない場合には、分析処理を終了する（ステップＳ８）。
【００３９】
楽曲検索用情報保存装置３は、それぞれの楽曲データ（ＰＣＭデータ）に付加された前述の情報（メタデータ）と、楽曲分析装置７によって分析された結果と、が関連付けられて保存される。
ユーザ印象分析装置１０は、それぞれの楽曲の特徴量（Ｓｘ，Ｓｙ）と、ディスプレイ装置９の画面９１に表示するための色情報との関連付けと、表示上の特定のポイントを示す固定ボタン２１，２２，２３の設定とを制御する。
【００４０】
ここで、楽曲検索用情報保存装置３に保存される楽曲の属性情報の例を図３に示す。この図３に示すように、楽曲１〜Ｎのそれぞれについて、ファイル名とともに、各特徴量、すなわち、音圧変動値Ｓｘおよび音圧平均値Ｓｙが保存されている。
また、楽曲１〜Ｎまでの各楽曲の特徴量は、Sｘ（ｎ）、Ｓｙ（ｎ）とする。なお、（ｎ＝１〜Ｎ）である。
【００４１】
そして、ユーザ印象分析装置１０では、各楽曲の特徴量（Ｓｘ，Ｓｙ）について、図４に示すように、横軸に音圧変動値Ｓｘ、縦軸に音圧平均値Ｓｙをとった特徴量のポイントＰ１を、下記の式（１）〜（３）の関数で表す図５のＲＧＢパレット２０上のポイントＰ２に変換する。
Ｇ（ｎ）＝２５５×Ｓｘ（ｎ）／（Ｓｘ_max−Ｓｘ_min）    ・・・（１）
Ｒ（ｎ）＝２５５×Ｓｙ（ｎ）／（Ｓｙ_max−Ｓｙ_min）    ・・・（２）
Ｂ（ｎ）＝２５５×（１−Ｓｙ（ｎ）／（Ｓｙ_max−Ｓｙ_min））  ・・・（３）
【００４２】
なお、ＲＧＢパレット２０は、三角形の頂点ＰＡを赤、すなわちＲＧＢ（２５５，０，０）、頂点ＰＢを青、すなわちＲＧＢ（０，０，２５５）、頂点ＰＣを緑、すなわちＲＧＢ（０，２５５，０）とし、その中間を、これら三色の混合で表示している。
【００４３】
したがって、ユーザ印象分析装置１０は、特徴量が得られた全ての楽曲に対し、Ｒ(ｎ)、Ｇ(n)、Ｂ(n)を取得し、ＲＧＢパレット２０上のポイント（座標）に変換する。
すなわち、下記の式（４）に示す特徴量（Ｓｘ，Ｓｙ）を有した楽曲Ｍ（ｎ）は、下記の式（５）に示す印象パラメータＩに変換される。なお、Ｈは印象パラメータｘ、ｙを求める関数である
Ｓ（ｘ，ｙ）（ｎ）＝Ｈ（Ｍ（ｎ））  ・・・（４）
（Ｒ，Ｇ，Ｂ）（ｎ）＝Ｉ（Ｓ（ｘ，ｙ）（ｎ））  ・・・（５）
【００４４】
さらに、ディスプレイ装置９では、ＲＧＢパレット２０と並列に前述した第１固定ボタン２１、第２固定ボタン２２、第３固定ボタン２３の表示が行われる（図５参照）。
そして、初期状態では、第１固定ボタン２１は、赤で表示され、ＲＧＢパレット２０の頂点ＰＡの座標、すなわち、ＲＧＢ（２５５，０，０）に対応しており、第２固定ボタン２２は、青で表示され、ＲＧＢパレット２０の頂点ＰＢの座標、すなわち、ＲＧＢ（０，０，２５５）に対応しており、第３固定ボタン２３は、緑で表示され、ＲＧＢパレット２０の頂点ＰＣの座標、すなわち、ＲＧＢ（０，２５５，０）に対応している。
【００４５】
なお、各固定ボタン２１〜２３と、ＲＧＢパレット２０上の位置との関係は、上記初期状態から、後述する属性変更処理により変更することができる。
また、各固定ボタン２１，２２，２３には、この座標に応じた印象を表す言葉を同時に表示してもよく、例えば、第１固定ボタン２１には、「力強い」、第２固定ボタン２２には、「穏やかな」、第３固定ボタン２３には、「クールな」と表示することができる。
【００４６】
全体制御装置１１は、上記の各装置１〜１０の作動を制御すると同時に、ユーザインタフェース装置８を介したユーザの操作を実現する機能を持っている。
【００４７】
次に、図６のフローチャートに基づいてＲＧＢパレット２０あるいは各固定ボタン２１〜２３を使用した再生処理の手順を説明する。
【００４８】
この図６のフローチャートに示す再生処理は、ＲＧＢパレット２０あるいは各固定ボタン２１〜２３に触れることでスタートされる。
【００４９】
まず、上述のＲＧＢパレット２０の触れた位置の座標データを取得する（ステップＳ１０１）。例えば、図５のＲＧＢパレット２０上の点Ｐ２に触れた場合、この点Ｐ２の位置に対応するＲＧＢ座標を取得する。また、各固定ボタン２１〜２３に触れた場合も、各固定ボタン２１〜２３のＲＧＢ座標を取得する。ちなみに、上述のように、初期状態では、第１固定ボタン２１のＲＧＢ座標は（２５５，０，０）であり、第２固定ボタン２２のＲＧＢ座標は（０，０，２５５）であり、第３固定ボタン２３のＲＧＢ座標は（０，２５５，０）である。
【００５０】
次に、取得したＲＧＢ座標から特徴量、すなわち、音圧変動値Ｓｘと音圧平均値Ｓｙとを取得する（ステップＳ１０２）。
【００５１】
次に、取得した特徴量に基づいて、楽曲検索用情報保存装置３に保存された特徴量（音圧変動値Ｓｘ、音圧平均値Ｓｙ）に基づいて、ステップＳ１０２で得られた特徴量に近い楽曲を予め設定された数だけ（例えば、２０曲）を選択して再生リストを作成し、この再生リストをリスト情報保存装置６に保存する（ステップＳ１０３）。
【００５２】
次に、作成された再生リストに従って、楽曲の再生を開始する（ステップＳ１０４）。この場合、タッチ位置に対応する特徴量に近いものから再生してもよいし、再生リストの楽曲をランダムに再生してもよい。
【００５３】
このように、実施例１の楽曲再生制御装置では、色により表示されたＲＧＢパレット２０と、第１〜第３固定ボタン２１〜２３と、のいずれかにタッチすると、そのタッチ位置に応じた特徴量を有した楽曲の再生が実行される。
【００５４】
したがって、ユーザは、再生した楽曲の特徴量を、色で認識することができる。そして、これにより、ユーザが、アーティスト名やアルバム名やタイトル名やジャンル名などを認識していなくても、所望の楽曲を簡単に検索することが可能となる。
【００５５】
次に、本実施例１では、各固定ボタン２１〜２３に対応するＲＧＢ座標を変更することができる。すなわち、各固定ボタン２１〜２３は、初期状態では、それぞれＲＧＢ座標上で、（２５５，０，０）（０，０，２５５）（０，２５５，０）に対応している。
それに対し、ユーザが、例えば、第１固定ボタン２１による「力強い」楽曲、第２固定ボタン２２による「穏やかな」楽曲、第３固定ボタン２３の「クールな」印象を他の曲に変更したい場合には、これを変更することができる。
【００５６】
そこで、この各固定ボタン２１〜２３のいずれかのＲＧＢ座標（属性）を変更する処理である属性変更処理の流れを、図７のフローチャートに基づいて説明する。
なお、この図７のフローチャートの属性変更処理は、予め設定された変更操作、例えばディスプレイ装置９上に表示された変更ボタン２４（図５参照）の押し操作により開始される。また、この場合、ユーザは、印象を変更したい固定ボタン２１〜２３の選択と、この選択した固定ボタン２１〜２３に最も印象が近いと考える楽曲の再生を行う必要がある。
【００５７】
そこで、まず、属性変更モードの選択が成されて、第１〜第３固定ボタン２１〜２３のいずれかの選択が成されたか判定し（ステップＳ２０１）、選択された場合、その固定ボタン２１〜２３を変更対象に決定する（ステップＳ２０２）。さらに、ＲＧＢパレット２０が触れられたか判定し（ステップＳ２０３）、触れられた場合、その位置のＲＧＢ座標に最も近い特徴量の楽曲の再生を行うとともに、変更対象の固定ボタン２１〜２３の色を、現在再生中の楽曲のＲＧＢ座標に応じた色に変更する（ステップＳ２０４）。
【００５８】
そして、ユーザは、変更したい固定ボタン２１〜２３の印象に最も近いと考える楽曲が再生されるまで、上述のＲＧＢパレット２０による楽曲の選択を行い、全体制御装置１１では、ＲＧＢパレット２０におけるポイント選択が成されるたびに、その選択位置の座標に対応する楽曲の再生を繰り返す（ステップＳ２０５）。
【００５９】
そして、ユーザは、楽曲が決定されると、ディスプレイ装置９に表示された決定ボタン２５（図５参照）を押し、この決定ボタン２５が押された場合（ステップＳ２０６）、変更対象の固定ボタン２１〜２３のＲＧＢ座標を、その時点の再生中の楽曲の特徴量に対応するＲＧＢ座標に変更する（ステップＳ２０８）。
【００６０】
このように、実施例１では、第１〜第３固定ボタン２１〜２３の設定曲を任意に変更することができ、この属性変更を行った場合には、その色の表示も、初期設定の色から変更されて、設定された楽曲の特徴量に応じたＲＧＢ座標の色に変更される。
【００６１】
次に、本実施例１では、各固定ボタン２１〜２３のＲＧＢ座標と特徴量との関係を任意に設定可能としている。この色印象変更処理の流れを図８のフローチャートにより説明する。
【００６２】
すなわち、前述したように、初期状態では、第１固定ボタン２１のＲＧＢ座標は（２５５，０，０）、第２固定ボタン２２のＲＧＢ座標は（０，０，２５５）、第３固定ボタン２３のＲＧＢ座標は（０，２５５，０）で、上記式（５）に示すように、ＲＧＢの座標は、Ｉの関数となっている。
【００６３】
そこで、各固定ボタン２１〜２３と、ＲＧＢ座標との関係を変更する場合には、ユーザは、ディスプレイ装置９の画面上で、色印象変更モードを選択（例えば、変更ボタン２４と決定ボタン２５との同時押し）し、さらに、変更対象となる固定ボタン２１〜２３を選択した上で、その固定ボタン２１〜２３に対応する楽曲の選択およびＲＧＢパレット２０上での色の選択を実行する。
【００６４】
色印象変更モードの選択が成されると、まず、図５に示す曲選択ボタン２６と色選択ボタン２７とのいずれかが選択されたかを判定し（ステップＳ３０１）、曲選択ボタン２６が押された場合、ステップＳ３０２，Ｓ３０３の処理に基づいて、ＲＧＢパレット２０に触れられたか判定し、触れられたＲＧＢ座標に対応する楽曲の再生を実行する。なお、ユーザは、変更対象の固定ボタン２１〜２３に最適と思う楽曲が再生されるまで、ＲＧＢパレット２０に触れる操作を繰り返す。
【００６５】
また、色選択ボタン２７が押された場合には、ステップＳ３０４，Ｓ３０５の処理に基づいて、ＲＧＢパレット２０の触れられたＲＧＢ座標の色を、変更対象の固定ボタン２１〜２３に表示させる。そこで、ユーザは、変更対象の固定ボタン２１〜２３に最適と思う色が表示されるまで、ＲＧＢパレット２０を押す操作を繰り返す。
【００６６】
上記の操作に基づき、変更対象の固定ボタン２１〜２３の色が最適の色に決定されるとともに、ユーザがその色に合致すると考える楽曲が決定されると、ユーザは、決定ボタン２５を押す。
【００６７】
この決定ボタン２５が押されると（ステップＳ３０６）、そのときの楽曲が持っている特徴量（Ｓｘ，Ｓｙ）と、それに相当するＲＧＢ座標が、ユーザ印象分析装置１０に保存される。それと同時に、決定された特徴量に対して、ＲＧＢ座標と特徴量（Ｓｘ、Ｓｙ）との関係の関数Ｉの定義を変更する（ステップＳ３０７、下記式（６））。
（Ｒ，Ｇ，Ｂ）（ｎ）＝Ｉ‘（Ｓ（ｘ，ｙ）（ｎ））  ・・・（６）
【００６８】
このように、本実施例１の楽曲再生制御装置Ａでは、各固定ボタン２１，２２，２３における特徴量と色との関係に応じて、ＲＧＢパレット２０上における色と、特徴量（音圧変動値Ｓｘ、音圧平均値Ｓｙ）との関係を変更し、よりユーザの印象に合致する検索を可能とすることができる。
【００６９】
以上説明したように、実施例１の楽曲再生制御装置Ａでは、ユーザは、楽曲の検索時に、ＲＧＢパレット２０上の点、すなわち色を選択することで、全体制御装置１１は、そのＲＧＢパレット２０上の座標に応じた特徴量を有した楽曲を検索し、再生リストを作成し、この再生リストに従って自動再生を行う。
このように、ユーザは、楽曲の特徴量（曲調）をＲＧＢパレット２０上の色で認識することができ、「激しさ」「のりの良さ」「爽やかさ」「ソフトさ」などの印象用語を用いるのと比較して、主観とのずれが生じにくいとともに、使用を繰り返すことで、ユーザは、その色と特徴量との関係を学習して、色と特徴量との関係をより的確に掴み取ることが可能である。
しかも、ＲＧＢパレット２０は、赤、青、緑の三色の頂点ＰＡ，ＰＢ，ＰＣを有した三角形を成し、各頂点ＰＡ，ＰＢ，ＰＣから離れるに従ってその方向の色と混ざり合った色の表示が成されている。
したがって、ユーザは、三色の頂点ＰＡ，ＰＢ，ＰＣとの相対位置および色により、ＲＧＢパレット２０上の位置を認識することが容易となり、使い勝手に優れる。
【００７０】
さらに、ＲＧＢパレット２０のＲＧＢ座標と楽曲の特徴量が関数Ｉで関連付けされているため、ユーザは、色と楽曲の特徴量との認識が、いっそう容易となる。
【００７１】
加えて、実施例１では、特徴量として楽曲全体の音圧変動値Ｓｘおよび音圧平均値Ｓｙを用いるようにしたため、楽曲全体の特徴量が得られ、楽曲の一部のフレーズのみの特徴量を求めた場合と比較して、特徴量と楽曲の全体の印象とが異なることを抑制して、楽曲の特徴が的確に得られる。
【００７２】
また、実施例１では、ＲＧＢパレット２０と別個に、ＲＧＢパレット２０上の任意の点に対応する第１〜第３固定ボタン２１，２２，２３を設定したため、例えば、ユーザが、ＲＧＢパレット２０上の気に入っている特定のポイントを選択したい場合に、各固定ボタン２１〜２３を押すことで、ＲＧＢパレット２０上の点に触れるのと比較して、位置のずれが生じることなく、同一の位置を選択することを確実に再現可能であり、操作性に優れる。
【００７３】
さらに、実施例１では、属性変更処理を実行することで、各固定ボタン２１〜２に対応する特徴量と色とを任意に変更可能とした。
したがって、ユーザは、例えば、ＲＧＢパレット２０上の気に入っている特定のポイントを任意に設定することができ、いっそう使い勝手に優れる。
【００７４】
しかも、実施例１では、色印象変更処理を実行することで、ＲＧＢパレット２０上のＲＧＢ座標に対応する、特徴量の関数Ｉを変更可能とした。
したがって、ＲＧＢパレット２０上のＲＧＢ座標と特徴量との関係を、よりユーザの印象に一致する関係に変更することが可能となり、いっそう的確な楽曲の選択が可能となる。
【００７５】
以上、図面を参照して、本発明の実施の形態の実施例１を詳述してきたが、具体的な構成は、この実施例１に限らず、本発明の要旨を逸脱しない程度の設計的変更は、本発明に含まれる。
【００７６】
すなわち、実施例１では、楽曲再生制御装置として、車載の楽曲再生制御装置に適用した例を示したが、車載のものに限らず、携帯式やパーソナルコンピュータなどの据え置き式のものにも適用することができる。
【００７７】
また、実施例１では、内部楽曲保存装置２としてハードディスクドライブを用いた例を示したが、これ以外の記憶媒体を用いることもできる。
【００７８】
また、実施例１では、着色パレットとして、赤、青、緑の三色を有したＲＧＢパレットを示したが、色の種類は、これらの色に限定されるものではなく、例えば、三原色である赤、黄、青などの他の色の組み合わせを用いてもよいし、また、２色の２軸を有した四角のパレットを用いてもよい。
【００７９】
また、実施例１では、特徴量として音圧変動値Ｓｘと音圧平均値Ｓｙとを用いた例を示したが、これに限定されず、楽曲の１曲全体における振幅分布状況を表す統計量で定義される抑揚度Ｙと、楽曲の１曲の全体における周波数分布の比率で定義される周波数比Ｗとの２つに置き換えることもできる。
【００８０】
抑揚度Ｙは、簡単に説明すると、楽曲の振幅データの変動具合を、それを統計量である分散（標準偏差）によって表現したもので、以下の手順で求める。
まず、下記の式（１１）を用いて、楽曲の１秒ごとの、楽曲のＰＣＭデータの片チャネルもしくは両チャネルの振幅データＡ（ｎ）について、ｔ１時間のパワー平均値Ｙａ（ｎｎ）を求める。なお、ｎは、総サンプリング数Ｎの０〜Ｎである。
例えば、ＰＣＭデータは、44.1KHzサンプリングであることから、１秒間に44100個のサンプリングデータが取得されることになり、このデータに対して、ｔ１時間に相当するサンプリング数ｎ１個のデータに対してパワー平均値を求める。
なお、ｔ１は、例えば、１０ｍｓｅｃであり、その場合、４４１個のサンプリングデータとなるが、このｔ１は、要は、サンプリング数を減らすための値であり、１秒よりも短い時間であれば、１０ｍｓｅｃに限定されるものではない。
Ｙａ(nn)＝（Σ（（A(n)2））１／２）／n1    ・・・（１１）
ここで、nn=0  〜  Int(N/n1)−１であり、Int(P)は、小数点以下切捨てを示している。
また、Σは、n1×nn〜n1×（nn+1）-1  までの積分を表している。
【００８１】
次に、Ya(nn)において、０〜n2-1までの分散σ２を下記式（１２）と定義する。
Yb（nnn）=σ2＝分散（Y(nnn×n2)  〜Y((nnn+1)×n2-1)）  ・・・（１２）
さらに、その平均Yc（nnn）を下記式（１３）により得る。
Yc（nnn）＝平均（Y(nnn×n2)  〜  Y((nnn+1)×n2-1)）    ・・・（１３）
ここで、nnn＝0 〜Int(Int(N/n1)/n2)-1＝０〜nnnn-1  である。
【００８２】
以上のデータを用いて、抑揚度Ｙは、下記の式（４）と定義する。
Y＝Σ（Yb(nnn)/Yc(nnn)）/nnnn          ・・・（４）
ここで、Σは、0からnnnn-1までの積分を表している。
【００８３】
以上から、抑揚度Ｙは、上記の様な手順とパラメータを用いて、楽曲全体に亘って１秒ごとにｔ１時間で平均化された振幅データの変動具合を取得し、それを統計量である分散（標準偏差）によって表現したものとなる。ここで、あらかじめ適当なｔ１（ｎ１およびｎ２）を選択することによって、一定の楽曲の特徴を示すパラメータを定義することができる。
【００８４】
次に、周波数比Ｗについて説明する。
この周波数比Ｗは、細分化した周波数帯ごとの、周波数データの積分したエネルギ成分（パワー）の偏重度を求めたものである。
【００８５】
具体的には、 ＰＣＭデータの片チャネルもしくは両チャネルの振幅データＡ（ｎ）に対し、以下の処理を行って求める。ここでは、簡略化のために、Ａ（ｎ）は楽曲全体に亘る片チャネルのみのデータの配列とする。算出に使用するパラメータは、振幅データＡ（ｎ）に対するＷａｖｅｌｅｔ変換処理によって求めることができるパラメータを用いて算出する。１例として各処理において４つずつのパラメータを使用するＷａｖｅｌｅｔ変換においての例を示す。
【００８６】
この処理は、下記の式（１５）〜式（３０）の処理を実行することで、振幅データを、８つの周波数帯域に分割し、それぞれの周波数帯域のパラメータＧ０（ｎ）〜Ｇ７（ｎ）を得る。
H0(n)=A(n×2)×h0+A(n×2+1)×h1+A(n×2+2)×h2+A(n×2+3)×h3  ・・・（１５）
G0(n)=A(n×2)×g0+A(n×2+1)×g1+A(n×2+2)×g2+A(n×2+3)×g3  ・・・（１６）
ここで、０＜ｎ＜Ｎ０であり、また、Ｎ０は、n×2≦N-1-4 を満たす最大のｎである。
H1(n)=H0(n×2)×h0+H0(n×2+1)×h1+H0(n×2+2)×h2+H0(n×2+3)×h3  ・・・（１７）
G1(n)=H0(n×2)×g0+H0(n×2+1)×g1+H0(n×2+2)×g2+H0(n×2+3)×g3  ・・・（１８）
ここで、０＜ｎ＜Ｎ１であり、Ｎ１は、n×4≦N-1-4を満たす最大のｎである。
H2(n)=H1(n×2)×h0+H1(n×2+1)×h1+H1(n×2+2)×h2+H1(n×2+3)×h3  ・・・（１９）
G2(n)=H1(n×2)×g0+H1(n×2+1)×g1+H1(n×2+2)×g2+H1(n×2+3)×g3  ・・・（２０）
ここで、０＜ｎ＜Ｎ２であり、Ｎ２は、n×8≦N-1-4を満たす最大のｎである。
H3(n)=H2(n×2)×h0+H2(n×2+1)×h1+H2(n×2+2)×h2+H2(n×2+3)×h3  ・・・（２１）
G3(n)=H2(n×2)×g0+H2(n×2+1)×g1+H2(n×2+2)×g2+H2(n×2+3)×g3  ・・・（２２）
ここで、０＜ｎ＜Ｎ３であり、Ｎ３は、n×16≦N-1-4を満たす最大のｎである。
H4(n)=H3(n×2)×h0+H3(n×2+1)×h1+H3(n×2+2)×h2+H3(n×2+3)×h3   ・・・（２３）
G4(n)=H3(n×2)×g0+H3(n×2+1)×g1+H3(n×2+2)×g2+H3(n×2+3)×g3  ・・・（２４）
ここで、０＜ｎ＜Ｎ４であり、Ｎ４は、n×32≦N-1-4を満たす最大のｎである。
H5(n)=H4(n×2)×h0+H4(n×2+1)×h1+H4(n×2+2)×h2+H4(n×2+3)×h3  ・・・（２５）
G5(n)=H4(n×2)×g0+H4(n×2+1)×g1+H4(n×2+2)×g2+H4(n×2+3)×g3  ・・・（２６）
ここで、０＜ｎ＜Ｎ５であり、Ｎ５は、n×64≦N-1-4を満たす最大のｎである。
H6(n)=H5(n×2)×h0+H5(n×2+1)×h1+H5(n×2+2)×h2+H5(n×2+3)×h3  ・・・（２７）
G6(n)=H5(n×2)×g0+H5(n×2+1)×g1+H5(n×2+2)×g2+H5(n×2+3)×g3  ・・・（２８）
ここで、０＜ｎ＜Ｎ６であり、Ｎ６は、n×64≦N-1-4を満たす最大のｎである。
H7(n)=H6(n×2)×h0+H6(n×2+1)×h1+H6(n×2+2)×h2+H6(n×2+3)×h3  ・・・（２９）
G7(n)=H6(n×2)×g0+H6(n×2+1)×g1+H6(n×2+2)×g2+H6(n×2+3)×g3  ・・・（３０）
ここで、０＜ｎ＜Ｎ７であり、Ｎ７は、n×64≦N-1-4を満たす最大のｎである。
【００８７】
これらのWavelet変換を用いて求めた、各帯域のパラメータに対して、以下の式（３１）〜式（３８）の積分処理を行う。
Sum0=Σ（｜G(n)｜）    ・・・（３１）
なお、０＜ｎ＜Ｎ０である。
Sum１=Σ（｜G(n)｜）    ・・・（３２）
なお、０＜ｎ＜Ｎ１である。
Sum２=Σ（｜G(n)｜）    ・・・（３３）
なお、０＜ｎ＜Ｎ２である。
Sum３=Σ（｜G(n)｜）    ・・・（３４）
なお、０＜ｎ＜Ｎ３である。
Sum４=Σ（｜G(n)｜）    ・・・（３５）
なお、０＜ｎ＜Ｎ４である。
Sum５=Σ（｜G(n)｜）    ・・・（３６）
なお、０＜ｎ＜Ｎ５である。
Sum６=Σ（｜G(n)｜）    ・・・（２７）
なお、０＜ｎ＜Ｎ６である。
Sum７=Σ（｜G(n)｜）    ・・・（３８）
なお、０＜ｎ＜Ｎ７である。
【００８８】
さらに、こうして得られたデータに対して、周波数比を以下の式（２９）により求める。
Ｗ（ｘ）＝ＳｕｍＸ／ＳｕｍＹ    ・・・（３９）
なお、Ｓｕｍ＝Σ（Ｓｕｍ０〜Ｘ）であり、すなわち、Ｓｕｍ０からＳｕｍＸまでの積分値であり、かつ、本実施例１では、Ｘ＝３としている。
また、ＳｕｍＹ＝Σ（Ｘ＋１〜７）であり、すなわち、ＳｕｍＸ＋１からＳｕｍ７までの和である。
【００８９】
また、上記Ｘ＝３は、人の声の周波数帯を含む帯域であり、上記の周波数比Ｗは、人の声の周波数帯域を中心として、それよりも上の周波数の積分値と、それよりも下の周波数積分値の比率である。
【００９０】
以上のように、周波数比Ｗは、上記の様な手順とパラメータを用いて、振幅データの周波数成分を取得し、式（３１）〜（３９）で処理することにより、周波数成分の偏重度を数値化したものである。
【図面の簡単な説明】
【００９１】
【図１】本発明の実施の形態の実施例１の楽曲再生制御装置Ａの構成を示すブロック図である。
【図２】実施例１の楽曲再生制御装置Ａにおける分析処理の流れを示すフローチャートである。
【図３】実施例１の楽曲再生制御装置Ａにおける楽曲検索用情報保存装置３に保存される楽曲の属性情報の一例を示す特性図である。
【図４】実施例１の楽曲再生制御装置Ａにおける特徴量である音圧変動値Ｓｘおよび音圧平均値Ｓｙと楽曲との関係を示す特性図である。
【図５】実施例１においてディスプレイ装置９の画面９１に表示されたＲＧＢパレット２０などを示す正面図である。
【図６】実施例１の楽曲再生制御装置Ａにおける再生処理の流れを示すフローチャートである。
【図７】実施例１の楽曲再生制御装置Ａにおける属性変更処理の流れを示すフローチャートである。
【図８】実施例１の楽曲再生制御装置Ａにおける色変更処理の流れを示すフローチャートである。
【符号の説明】
【００９２】
Ａ     楽曲再生制御装置
Ｓｘ   音圧変動値
Ｓｙ   音圧平均値
１     メディア駆動装置
２     内部楽曲保存装置
３     楽曲検索用情報保存装置
４     再生装置
５     スピーカ装置
６     リスト情報保存装置
７     楽曲分析装置
８     ユーザインタフェース装置
９     ディスプレイ装置
１０   ユーザ印象分析装置
１１   全体制御装置
２０   ＲＧＢパレット
２１   第１固定ボタン
２２   第２固定ボタン
２３   第３固定ボタン
２４   変更ボタン
２５   決定ボタン
２６   曲選択ボタン
２７   色選択ボタン
９１   画面
【図１】
2008250710.tif 000003
【図２】
2008250710.tif 000004
【図３】
2008250710.tif 000005
【図４】
2008250710.tif 000006
【図５】
2008250710.tif 000007
【図６】
2008250710.tif 000008
【図７】
2008250710.tif 000009
【図８】
2008250710.tif 000010